(57)【要約】【課題】衛生用品を人体に装着した場合に、皮膚のかぶれを抑制でき、かつ、皮膚のべたつきを抑制可能な、かぶれ防止パッドを提供する。【解決手段】人体に装着される衛生用品のうち、人体の陰部の外側に対応する領域に間隔をおいて取り付けられるシート状の２個の粘着剤層１３と、２個の粘着剤層１３が衛生用品に取り付けられる前の状態で、２個の粘着剤層１３のうち、衛生用品に取り付けられる第１表面１３Ａにそれぞれ貼り付けられる剥離テープ１４と、２個の粘着剤層のうち、第１表面１３Ａとは反対に位置する第２表面１３Ｂにそれぞれ設けられるシート状の２個のシリコン層１２と、を有するかぶれ防止パッド１０を設けた。【選択図】図１
0003235609.tif 000002
【実用新案登録請求の範囲】
【請求項１】
人体に装着される衛生用品のうち、人体の陰部の外側に対応する領域に間隔をおいて取り付けられるシート状の２個の粘着剤層と、
２個の前記粘着剤層が前記衛生用品に取り付けられる前の状態で、２個の前記粘着剤層のうち、前記衛生用品に取り付けられる第１表面にそれぞれ貼り付けられる剥離テープと、
２個の前記粘着剤層のうち、前記第１表面とは反対に位置する第２表面にそれぞれ設けられるシート状の２個のシリコン層と、
を有する、かぶれ防止パッド。
【請求項２】
人体の皮膚に接触される皮膚接触材を有する衛生用品において、
前記皮膚接触材のうち、人体の陰部の外側に対応する領域に人体の左右方向に間隔をおいて取り付けられたシート状の２個の粘着剤層と、
２個の前記粘着剤層のうち、前記皮膚接触材に取り付けられた第１表面とは反対に位置する第２表面にそれぞれ設けられたシート状の２個のシリコン層と、
を有する、衛生用品。
【考案の詳細な説明】
【技術分野】
【０００１】
本開示は、衛生用品を人体に装着した場合に、皮膚のかぶれを抑制することの可能な、かぶれ防止パッド及び衛生用品に関する。
【背景技術】
【０００２】
衛生用品を人体に装着した場合に、皮膚のかぶれを抑制する技術の一例が、特許文献１に記載されている。特許文献１に記載されている使い捨て吸収性物品は、吸収性本体と、前部ウエストセクションと、背部ウエストセクション及び前部及び背部ウエストセクションを接続する中間セクションとからなり、体側に面する少なくとも一部にローション配合物を有する。このため、吸収性物品の着用者の皮膚がかぶれること、摩擦および不快感を受けること、が少なくなると記載されている。
【先行技術文献】
【特許文献】
【０００３】
【特許文献１】特表２００３−５２６３９０号公報
【考案の概要】
【考案が解決しようとする課題】
【０００４】
本願考案者は、特許文献１に記載されている使い捨て吸収性物品は、体側に面する少なくとも一部にローション配合物を有するため、皮膚がべたつく可能性がある、という課題を認識した。
【０００５】
本開示の目的は、衛生用品を人体に装着した場合に、皮膚のかぶれを抑制でき、かつ、皮膚のべたつきを抑制可能な、かぶれ防止パッド及び衛生用品を提供することにある。
【課題を解決するための手段】
【０００６】
本開示のかぶれ防止パッドは、人体に装着される衛生用品のうち、人体の陰部の外側に対応する領域に間隔をおいて取り付けられるシート状の２個の粘着剤層と、２個の前記粘着剤層が前記衛生用品に取り付けられる前の状態で、２個の粘着剤層のうち、前記衛生用品に取り付けられる第１表面にそれぞれ貼り付けられる剥離テープと、２個の前記粘着剤層のうち、前記第１表面とは反対に位置する第２表面にそれぞれ設けられるシート状の２個のシリコン層と、を有する、かぶれ防止パッドである。
【考案の効果】
【０００７】
本開示によれば、衛生用品を人体に装着した場合に、皮膚のかぶれを抑制でき、かつ、皮膚のべたつきを抑制可能である。
【図面の簡単な説明】
【０００８】
【図１】（Ａ）は、かぶれ防止パッドの平面図、（Ｂ）は、かぶれ防止パッドの底面図、（Ｃ）は、かぶれ防止パッドの側面図である。
【図２】かぶれ防止パッドを生理用ナプキンに取り付けた状態の平面図である。
【図３】図２の生理用ナプキンをIII−III線に沿って破断した断面図である。
【図４】図２の生理用ナプキンをIV−IV線に沿って破断した断面図である。
【考案を実施するための形態】
【０００９】
［実施形態］
以下、図面に基づいて、本開示の実施形態を説明する。以下の実施形態の構成は例示であり、本開示は実施形態の内容に限定されない。図１、図３及び図４に示すかぶれ防止パッド１０は、生理用品の一例である生理用ナプキン１１に装着、つまり、取り付けられる。かぶれ防止パッド１０は、２個を１組として生理用ナプキン１１に取り付けられる。かぶれ防止パッド１０は、シリコン層１２、粘着剤層１３及び剥離テープ（剥離シート）１４を有する。シリコン層１２は、シロキサン結合による主骨格を持つ合成高分子化合物製であり、かつ、シート状である。
【００１０】
図１（Ａ）のように、かぶれ防止パッド１０を平面視すると、シリコン層１２の２側縁１２Ａ，１２Ｂは平行であり、かつ、同じ方向に湾曲している。このため、シリコン層１２の幅方向の中心を通る仮想線Ｂ１は、円弧形状または湾曲形状で表される。かぶれ防止パッド１０の平面視で、シリコン層１２の幅Ｌ１は、一例として、５ｍｍ乃至５ｃｍ程度の範囲内である。かぶれ防止パッド１０の平面視で、シリコン層１２の全長Ｌ２は、一例として、５ｃｍ乃至１０ｃｍ程度の範囲内である。かぶれ防止パッド１０の平面視で、シリコン層１２の長さ方向の両端は、略半円形である。図１（Ｃ）のように、かぶれ防止パッド１０を側面視すると、シリコン層１２の厚さＷ１は、一例として５ｍｍ程度である。かぶれ防止パッド１０の平面視は、シリコン層１２の厚さ方向に対して垂直な平面視と同じ意味である。
【００１１】
粘着剤層１３は、シート状であり、かつ、シリコン層１２の片方の表面全体に亘り、一例として１ｍｍ程度の厚さで設けられている。言い換えると、粘着剤層１３の厚さ方向の両側に位置する第１表面１３Ａ及び第２表面のうち、第２表面１３Ｂの全域に亘ってシリコン層１２が接着されている。第１表面１３Ａは、剥離テープ１４が剥がされると、図３のように、生理用ナプキン１１に接着される表面である。粘着剤層１３を構成する粘着剤は、ゴム系粘着剤、アクリル系粘着剤、シリコン系粘着剤、ウレタン系粘着剤、等のうちの何れでもよい。剥離テープ１４は、粘着剤層１３の第１表面１３Ａの全体を覆うように、第１表面１３Ａに設けられている。剥離テープ１４は紙製であり、粘着剤層１３の粘着力で粘着剤層１３に仮止めされている。
【００１２】
かぶれ防止パッド１０が取り付けられる生理用ナプキン１１は、皮膚接触材１５、防漏材１６、吸収体１７及び接着部１８を有する。皮膚接触材１５は、人体の皮膚に接触する部位であり、皮膚接触材１５は、経血が通過することの可能な要素であり、皮膚接触材１５は、不織布及びメッシュを重ねて構成されている。防漏材１６は、吸収体１７が吸収した経血が、生理用ナプキン１１の外部にじみ出ることを防止する要素である。防漏材１６はシート状であり、防漏材１６の外縁は、皮膚接触材１５に固定されている。皮膚接触材１５と防漏材１６との間に収容室２０が設けられている。収容室２０は空間である。
【００１３】
吸収体１７は、収容室２０に収容されている。吸収体１７は、経血を吸収する要素であり、吸収体１７は、綿状パルプ、吸収紙、高分子吸収材等により構成されている。接着部１８は、防漏材１６における皮膚接触材１５が固定されている表面とは反対の表面に設けられている。接着部１８は、生理用ナプキン１１を下着１９、例えば、ショーツまたはパンティー等に固定するための要素である。図２のように、接着部１８の両側には、羽根２１が２つずつ設けられている。図２において、生理用ナプキン１１は下着１９に対して装着されると、前後方向の寸法は、左右方向の寸法より大きい。図２に示す生理用ナプキン１１は、前後方向の中央を基準として前側及び後側に区別される。領域Ａ１は、生理用ナプキン１１の前後方向の中央を基準として前側及び後側に亘って位置する。なお、接着部１８の表面には接着剤層が設けられているが、便宜上、接着剤層の図示を省略する。
【００１４】
次に、２個のかぶれ防止パッド１０を生理用ナプキン１１に取り付けて使用する例を説明する。先ず、図３のように、剥離テープ１４を粘着剤層１３から剥がす。そして、２個のかぶれ防止パッド１０の粘着剤層１３を生理用ナプキン１１の皮膚接触材１５に向けた状態で、かぶれ防止パッド１０を生理用ナプキン１１に近づける。さらに、粘着剤層１３を皮膚接触材１５の表面に密着させることにより、図２のように、２個のかぶれ防止パッド１０を生理用ナプキン１１に固定する。生理用ナプキン１１の前後方向において、２個のかぶれ防止パッド１０は、前端同士の間隔Ｌ３及び後端同士の間隔Ｌ３が、２個のかぶれ防止パッド１０の中央の間隔Ｌ４より狭くなるように、２個のかぶれ防止パッド１０が湾曲された向きを決めて、生理用ナプキン１１に取り付けられる。つまり、２個のかぶれ防止パッド１０は、生理用ナプキン１１の皮膚接触材１５に対して、人体２２の左右方向に間隔をおいて取り付けられる。人体２２の左右方向と、生理用ナプキン１１の左右方向とは、同じであるものとする。
【００１５】
２個のかぶれ防止パッド１０取り付けられた生理用ナプキン１１は、下着に取り付けられる。具体的には、接着部１８が下着１９の内面に接着される。さらに、４つの羽根２１は折り返され、かつ、下着１９の外面に接着される。このため、生理用ナプキン１１が下着１９に対してずれることを防止できる。２個のかぶれ防止パッド１０は、下着１９を人体２２に装着した場合に、２個のかぶれ防止パッド１０のシリコン層１２のそれぞれが、生理用ナプキン１１の前後方向で人体２２の陰部の両側の外陰部に対応する領域、例えば、図２に示す領域Ａ１において、図４のように人体２２の皮膚（肌）２３に接触される。
【００１６】
本実施形態における２個のかぶれ防止パッド１０を取り付けた生理用ナプキン１１を利用すると、生理用ナプキン１１と皮膚２３との間にかぶれ防止パッド１０が位置する。このため、かぶれ防止パッド１０がクッションの役割を果たし、生理用ナプキン１１と皮膚２３との摩擦によるかぶれを抑制できる。また、シリコン層１２は、シリコン製であるため、皮膚２３がべたつくことを防止できる。さらに、かぶれ防止パッド１０は、皮膚２３に直接貼る訳ではないので、肌荒れを抑制できる。なお、生理用ナプキン１１の前後方向、及び左右方向において、２個のかぶれ防止パッド１０を生理用ナプキン１１に取り付ける位置は、人体２２の体形、かぶれ易い位置等の条件により、利用者が任意に決定する。
【００１７】
［補足説明］
本実施形態で説明した技術的事項の意味の一例は、次の通りである。生理用の生理用ナプキン１１は、衛生用品の一例である。シリコン層１２は、シリコン層の一例である。粘着剤層１３は、粘着剤層の一例である。剥離テープ１４は、剥離テープの一例である。かぶれ防止パッド１０は、かぶれ防止パッドの一例である。皮膚接触材１５は、皮膚接触材の一例である。防漏材１６は、防漏材の一例である。収容室２０は、収容室の一例である。吸収体１７は、吸収体の一例である。接着部１８は、接着部の一例である。
【００１８】
本実施形態で説明したかぶれ防止パッドは、図面を用いて説明したものに限定されない。例えば、２個のかぶれ防止パッドが取り付けられる衛生用品は、生理用のナプキン、尿漏れパッド、オムツ等のうちの何れでもよい。また、シリコン層の厚さ、幅、全長等を異ならせたかぶれ防止パッドを、複数種類用意することもできる。さらに、シリコン層は、厚さ方向に対して垂直な平面視で、２側縁が直線状であってもよい。また、シリコン層は、厚さ方向に対して垂直な平面視で、長方形であってもよい。何れの場合も、シリコン層の幅方向の中心を通る仮想線は直線である。
【産業上の利用可能性】
【００１９】
本開示のかぶれ防止パッド、衛生用品及び生理用ナプキンは、利用者の皮膚がかぶれることを抑制する場合に利用可能である。
【符号の説明】
【００２０】
１０…かぶれ防止パッド、１１…生理用ナプキン、１２…シリコン層、１３…粘着剤層、１３Ａ…第１表面、１３Ｂ…第２表面、１４…隔離テープ、１５…皮膚接触材、１６…防漏材、１７…吸収体、１８…接着部、２０…収容室
【図１】
0003235609.tif 000003
【図２】
0003235609.tif 000004
【図３】
0003235609.tif 000005
【図４】
0003235609.tif 000006